(57)【要約】【課題】  高くなるであろう洪水時の水位をより安全な低い水位に確実に制御できるようにすることで集中豪雨時の安全性の向上を図ることができるようにした河川氾濫防止装置を提供することを目的とする。【解決手段】  洪水時に河川水が流れる河床あるいは河川敷などの内壁内部に長手を上流側から下流側に向けた流路を形成し、その流路の上流側の端部には、前記内壁に導入口を開けた導入路を備えるとともに、前記導入口には開閉自在なシャッターとこのシャッターを開閉駆動する駆動手段とを備えた河川氾濫防止装置であって、前記内壁における導入口よりも上流側には、起立時に流下物の導入口への流れは規制して河川水の流れは可能とする制御スクリーンが洪水時の一定水位以上に達した際に開くシャッターに連動して起倒自在に設けられていることを特徴とする。【選択図】図３
2020045755.tif 000002
【特許請求の範囲】
【請求項１】
洪水時に河川水が流れる河床あるいは河川敷などの内壁内部に長手を上流側から下流側に向けた流路を形成し、その流路の上流側の端部には、前記内壁に導入口を開けた導入路を備えるとともに、前記導入口には開閉自在なシャッターとこのシャッターを開閉駆動する駆動手段とを備えた河川氾濫防止装置であって、前記内壁における導入口よりも上流側には、起立時に流下物の導入口への流れは規制して河川水の流れは可能とする制御スクリーンが洪水時の一定水位以上に達した際に開くシャッターに連動して起倒自在に設けられていることを特徴とする河川氾濫防止装置。
【発明の詳細な説明】
【技術分野】
【０００１】  この発明は、河川氾濫防止装置に関する。
【背景技術】
【０００２】  旧来から集中豪雨があるとその一帯を流れる河川の氾濫により多大な洪水被害を受けるのが通例となっている。そうした被害をなくすため特許文献１および２に示すような水害防止方法が提案されている。【０００３】
【特許文献１】特開平４−３００１１号公報
【特許文献２】特開２０１５−１８７３７５号公報
【発明の概要】
【発明が解決しようとする課題】
【０００４】  特許文献１で開示された技術は、河川改修工事の１つで、洪水時に河川の計画高水流量を安全に流下させるように、河川の実質有効断面を拡大するための河川用暗渠設備についてのもので、河床の下層部に河川水の流れ方向に沿って所要の長さの暗渠を形成し、この暗渠の上流端部及び下流端部にそれぞれ堰構造体を構築するとともに、これら堰構造体にそれぞれ上記暗渠の入口部及び出口ブロックを開閉する流量調節ゲートを設置したことを特徴とするものである。
この河川用暗渠設備によれば、暗渠により河川の実質有効断面を拡大することができて河川の氾濫を防ぐことができるようであるが、平常時には同公報第３図（Ａ）のように閉じたゲート前の導入用凹みに多量の流下物が溜まってしまって肝心な洪水時の導入効率が悪くなり本来の氾濫防止効果が発揮できなくなるおそれがあり、また肝心な洪水時には同公報第３図（Ｂ）のように入口部が洪水の流れ込み方向に直に開口していることからそこに流下物がダイレクトに掛留されたり詰まったりするおそれがある。
特許文献２で開示された技術は、高くなるであろう洪水時の水位をより安全な低い水位に制御できるようにすることで集中豪雨時の安全性の向上を図ることを目的としたもので、河川水が流れる川床内に上流側から下流側へと長手を向けた流路を形成し、この流路の上流側の導入口を必要時に開くシャッターで開閉自在としたことを特徴とする河川氾濫防止装置となっている。
この河川氾濫防止装置は、洪水時にシャッターを開くことで導入口を通じて河川水を臨時的に流路内に導いて洪水の高さを低く制御するようになっているが、具体的には、シャッター周りには防護杭…が複数本立設配備されるとともにそれら防護杭のぐるり廻りに遮蔽スクリーンを張設して、屋形船などの遊覧舟や流れ石などの漂流物により導入口が塞がれないようにしてある。
しかし、この場合の防護杭は常時立設固定式のものになっているため、洪水時以外の平時や洪水初期段階においてその前周りに流下物が滞留してしまい、肝心な洪水時にシャッターを開けて導入口を通じて流水を導入しようとしても効率的に導入することができず、水位の低減ができず氾濫に陥ってしまうおそれがあった。【０００５】  この発明は上記問題を解決しようとするもので、高くなるであろう洪水時の水位をより安全な低い水位に確実に制御できるようにすることで集中豪雨時の安全性の向上を図ることができるようにした河川氾濫防止装置を提供することを目的とする。
【課題を解決するための手段】
【０００６】  この発明は上記目的を達成するため、請求項１に記載の発明は、洪水時に河川水が流れる河床あるいは河川敷などの内壁内部に長手を上流側から下流側に向けた流路を形成し、その流路の上流側の端部には、前記内壁に導入口を開けた導入路を備えるとともに、前記導入口には開閉自在なシャッターとこのシャッターを開閉駆動する駆動手段とを備えた河川氾濫防止装置であって、前記内壁における導入口よりも上流側には、起立時に流下物の導入口への流れは規制して河川水の流れは可能とする制御スクリーンが洪水時の一定水位以上に達した際に開くシャッターに連動して起倒自在に設けられていることを特徴とする。
【発明の効果】
【０００７】  上述したように、請求項１に記載の発明は、洪水時に河川水が流れる河床あるいは河川敷などの内壁内部に長手を上流側から下流側に向けた流路を形成し、その流路の上流側の端部には、前記内壁に導入口を開けた導入路を備えるとともに、前記導入口には開閉自在なシャッターとこのシャッターを開閉駆動する駆動手段とを備えた河川氾濫防止装置であって、前記内壁における導入口よりも上流側には、起立時に流下物の導入口への流れは規制して河川水の流れは可能とする制御スクリーンが洪水時の一定水位以上に達した際に開くシャッターに連動して起倒自在に設けられていることを特徴とするので、高くなるであろう洪水時の水位をより安全な低い水位に確実に制御できるようにすることで集中豪雨時の安全性の向上を図ることができるようにした河川氾濫防止装置を提供することができる。
【図面の簡単な説明】
【０００８】
【図１】  この発明の一実施形態である河川氾濫防止装置を示す河川平面図。
【図２】  図１のＩＩ−ＩＩ線断面図。
【図３】  図２の装置の作動を説明する断面図。
【図４】  図１のＩＶ−ＩＶ線断面図。
【図５】  図１のＶーＶ線断面図。
【図６】  他の実施形態を示す側断面図。
【図７】  図６の実施形態の作動を説明する断面図。
【図８】  他の実施形態を示す装置横断面図。
【図９】  他の実施形態を示す河川平面図。
【図１０】  図９のＸ−Ｘ線断面図。
【図１１】  図１０の実施形態の作動を示す断面図。
【図１２】  図１１のスクリーンを示す斜視図。
【図１３】  他の実施形態を示す河川平面図。
【図１４】  図１３のＸＩＶ−ＸＩＶ線断面図。
【図１５】  図１４の実施形態の作動を説明する断面図。
【発明を実施するための形態】
【０００９】  以下、この発明の河川氾濫防止装置の一実施形態を図１ないし図５に従って説明する。
図１は右の上流側１から左の下流側２へと流れるようにされた河川（一部）３とその周辺の様子を鳥瞰的に示すもので、この河川氾濫防止装置が経験的に必要とされる区間の一部である。該区間は河川の湾曲した氾濫危険度の高い区間であることがある。河川３は、水量の少ない平時において河川水が流れる河床（低水敷）５とその両側の少し高くなった河川敷（高水敷）６，６とが形成されるとともに、さらに両側の離れたところには河川敷６よりもかなり高くなった堤防７，７が形成されている。ここで、河床５や河川敷６，６の表壁部分は内壁ａと呼び、河川氾濫防止装置が堤防７に設けられる実施形態の場合には堤防７の内側の壁が内壁ａとなる。尚、７ａは堤防７の天端である。
【００１０】  前記河床５の内壁ａ内部には、長手を上流側から下流側に向けた流路１０が形成されている。この流路１０は、縦横がＡ×Ｂで長さがＬとされた角型横カルバート１１…の多数個を前後に接続した状態で内壁ａ内に埋設することで形成されており、河床５の幅が大きい場合には図５の右上欄のように幅方向に複数配列することもある。配列個数は河床５の幅などにより異なる。カルバート１１…は、左右に１列あるいは複数列である場合がありその場合上下複数段に配列することもある。カルバート１１…上には泥土質の内壁ａが形成されているが、カルバート上面が河床５の上面と同一面状となるように露出した状態にされることもある。
【００１１】  流路１０の上流側の端部には、内壁ａに導入口１３を開けた導入路１４を備える。導入路１４は、流路１０の前端に接続された斜めカルバート１５内に形成されるとともに、導入路１４の上端に形成した導入口１３の矩形内周縁には内壁ａよりも低くなった段差部が形成されている。段差部の中には、ＳＵＳ、アルミ合金あるいはチタン、強化樹脂などで矩形板状とされたシャッター１７がシール材（図示省略）を介して導入口１３を密閉すべく嵌め込まれ、その下流側後端に設けた後ヒンジ１８を介して４５度前傾して立ち上がるように起倒自在に装備されている。そのシャッター１７を起倒させる駆動手段１９は水・オイル・エアーなどの流体シリンダであり、流路１０の前端にその基部を取り付けロッド先端をシャッター１７裏に取り付けてある。この駆動手段１９は、左右一対とされているが、単一本であってもよい。
【００１２】  斜めカルバート１５の前部には斜め矩形筒状をした前部カルバート２１が一体あるいは別体に形成され、その内部が流下物を回収するポケット２２とされている。斜めカルバート１５の前端壁下部には下水抜き２３が開けられていて流下物がポケット２２内に入り込みやすくしてあるが、省略することもある。
【００１３】  前部カルバート２１の上端には矩形をした捕捉誘導口２５が形成されるとともに、同捕捉誘導口２５の後端には前ヒンジ２６が設けられている。この前ヒンジ２６を介して外形が矩形をした制御スクリーン２７が設けられている。同制御スクリーン２７は、前後の枠部と左右一対の枠部とを有するとともに左右の枠部間には複数本（図例では６本）の中間縦桟部をもつ本体をもつ。左右一対の枠部と中間縦桟部の複数本との間は複数の開口２７ａ…として形成されているとともに、これら開口２７ａ…をその上側の１枚の蓋２９によって開閉自在とされたものである。
平時は、蓋２９付き制御スクリーン２７が捕捉誘導口２５を閉じた状態とするので、図１および図２の平時のように、河川流が流れたときには、泥土など流下物Ｘ…が制御スクリーン２７に掛留したりポケット２２内に詰まるようなことがなく、その結果、図３のように制御スクリーン２７が立ち上がった際に流下物Ｘ…によって導入口１３が詰まるようなことがなく、流路１０への流れが損なわれるおそれがない。
一方、図１の下欄に示すように多数本柵状のスクリーン２７のままでで蓋２９のないものにしておくと、平時において流下物Ｘ…により目詰まりが発生してしまうだけでなく図３のような洪水時に流下物Ｘ…付きのままの制御スクリーン２７が立ち上がった際に付着した流下物Ｘ…などが前方からの河川水による流れによって導入口１３側にもってこられてその開口に掛留して詰まりを発生して流路１０への流れを損なうおそれが出てくる。
図２の全体、例えば、河床５や流路１０などは図２の左方向である河口の向きに緩徐に下がり傾斜している。
【００１４】  シャッター１７と制御スクリーン２７との間には、それらを連動させるためのリンク３１が左右一対配備されている。３２はリンクチェーンなどによるアンカーで、制御スクリーン２７の立ち上り角度を一定に保つためのものである。駆動手段１９は制御スクリーン２７側に対し取り付けることがある。制御スクリーン２７は４５度に立ち上がるようにしてあるが３０度程度に低く立ち上がるようにしてもよい（図７参照）。流路１０の下流側には開閉式のシャッターを備えておいて河口からの逆流を防ぐようにする。前記河川氾濫防止装置においては、図３に示すように、エアーあるいはウオータージェット噴射式の加速装置３４によって水流速度を加速するようにしてもよく、この加速装置３４は、電動による軸流ファン式あるいはスクリュウ軸式などによってもよい。カルバート１１…はその一部あるいは全てを上面開閉式にして洪水後に開放してメンテナンスがしやすいように構成してもよい。
【００１５】  図１および図２は平時の河川状態のときの河川氾濫防止装置の状態を示す。この場合、シャッター１７および制御スクリーン２７は共に閉止状態にあるので、流路１０やポケット２２内に河川水Ｗが入って詰まってきて肝心な洪水時に流れが確保できなくなるという問題はなくなる。また、シャッター１７および制御スクリーン２７が閉じて水平な状態になっているので、平時は勿論洪水初期段階での流下物Ｘ…が滞留するようなおそれがなくなる。平時あるいは洪水初期段階においてシャッター１７を開けてしまってもその前方には制御スクリーン２７が立ち上がっていて流下物Ｘ…を捕捉回収するので、導入口１３に流下物Ｘ…が掛留されることはない。尚、シャッター１７およびスクリーン２７の上面には泥土や枝木などの流下物Ｘ…が平時から溜まってくることもあり、その量が多くなると洪水時にシャッター１７などを立ち上げた際の支障となるおそれもあり、従って、洪水とならない平時においてそれらの清掃除去は必要である。
【００１６】  一方、洪水標示レベルには、氾濫危険水位（レベル４）の前に避難判断水位（レベル３）と氾濫注意水位（レベル２）があるが、この実施形態の場合は、水位がシャッター１７および制御スクリーン２７の立上り高さＨを越えて１〜２ｍのレベルである避難判断水位（レベル３）に達した時点でシャッター１７および制御スクリーン２７を立ち上げ駆動させるようにする。このようにすると水位が制御スクリーン２７を越えているためその河川水Ｗとともに流される流木などの流下物Ｘ…が制御スクリーン２７に引っ掛りにくくなって制御スクリーン２７の目を通じて導入口１３に河川水Ｗが導入されやすくなる。
【００１７】  しかし、記録的短時間大雨情報が出された場合のように氾濫の危険度が非常に高いような場合には、早い段階でシャッター１７等を立ち上げ準備しようと早まるが、早い段階で立ち上げ準備をしておくと、流路１０内には泥土や枝木などの混じった河川水が多量に流れ込むこともあり、結果的に差程危険水位に至らなかった場合には洪水後における流路１０内の泥土やスクリーン２７前に滞積した流下物Ｘ…の排除作業などの復旧作業を行う必要が出てきてそれが大変な作業となることも考慮して一定以上の水位（氾濫危険水位前）に達するところを好適な立ち上げタイミングとして選定する必要がある。
洪水に伴い水位が次第に高まってきてシャッター１７および制御スクリーン２７が起立されてくると、高い水位を流れる流下物Ｘ…は制御スクリーン２７のはるかに高いところを下流側へ導かれるので問題はないが、高さＨ以下を流れてくる流下物Ｘ…については制御スクリーン２７によって捕捉されてポケット２２内に回収されることになり、そのように回収されることから制御スクリーン２７を通過した河川水Ｗは導入口１３から流路１０内に流れ込むように誘導されてゆく。その結果、流路１０に導かれた水量分の水位が図５の仮想線のように低くなって氾濫の危険度は大幅に低くなるものである。尚、流路下流端に備えた出口シャッター（図示省略）は、伸ばした流路１０の河口近くあるいはその手前に設けられて逆流を防止するようにしてあるが、洪水時にシャッター１７が開くタイミングより一定時間後に開かれるものとし、これにより、逆流が防止される。
前記シャッター１７は一度に前開にする以外に例えば、第１段階で半開きにし第２段階で全開きに調節するようにしてもよい。また、図５の右上欄に示すように横列配置した場合などには例えば、左右一方あるいは両側のシャッター１７を先に開きそののち中央のシャッター１７を追加的に開くように調節式にすることができる。
【００１８】  図６および図７は他の実施形態を示す。この実施形態は、前記実施形態の前部カルバート２１・ポケット２２・蓋２９などが省略され簡略化された装置となっている。即ち、図６は、右の上流側１から左の下流側２へと流れるようにされた河川（一部）３とその周辺の様子を示すもので、この河川氾濫防止装置が経験的に必要とされる区間の一部である。該区間は河川の湾曲した氾濫危険度の高い区間であることがある。河川３は、水量の少ない平時において河川水が流れる河床（低水敷）５とその両側の少し高くなった河川敷（高水敷）６，６とが形成されるとともに、さらに両側の離れたところには河川敷６よりもかなり高くなった堤防７，７が形成されている。ここで、河床５や河川敷６，６の表壁部分は内壁ａと呼び、河川氾濫防止装置が堤防７に設けられる実施形態の場合には堤防７の内側の壁が内壁ａとなる。尚、７ａは堤防７の天端である。
【００１９】  前記河床５の内壁ａ内部には、長手を上流側から下流側に向けた流路１０が形成されている。この流路１０は、縦横がＡ×Ｂで長さがＬとされた角型横カルバート１１…の多数個を前後に接続した状態で内壁ａ内に埋設することで形成されており、河床５の幅が大きい場合には図５の右上欄のように幅方向に複数配列することもある。配列個数は河床５の幅などにより異なる。カルバート１１…は、左右に１列あるいは複数列である場合がありその場合上下複数段に配列することもある。カルバート１１…上には泥土質の内壁ａが形成されているが、カルバート上面が河床５の上面と同一面状となるように露出した状態にされることもある。
【００２０】  流路１０の上流側の端部には、内壁ａに導入口１３を開けた導入路１４を備える。導入路１４は、流路１０の前端に接続された斜めカルバート１５内に形成されるとともに、導入路１４の上端に形成した導入口１３の矩形内周縁には内壁ａよりも低くなった段差部が形成されている。段差部の中には、ＳＵＳ、アルミ合金あるいはチタン、強化樹脂などで選択された矩形板状とされたシャッター１７がシール材（図示省略）を介して導入口１３を密閉すべく嵌め込まれ、その下流側後端に設けた後ヒンジ１８を介して３０度（あるいは４５度）前傾して立ち上がるように起倒自在に装備されている。そのシャッター１７を起倒させる駆動手段１９は水・オイル・エアーなどの流体シリンダであり、流路１０の前端にその基部を取り付けロッド先端をシャッター１７裏に取り付けてある。この駆動手段１９は、左右一対とされているが、単一本であってもよい。
【００２１】  前記実施形態では、斜めカルバート１５の前部に前部カルバート２１が設けられ、その内部が流下物を回収するポケット２２とされていたが、この実施形態では、これら２１，２２等は省略されて簡略化されている。
【００２２】    斜めカルバート１５の前端より少し前側に相当する位置には前ヒンジ２６が設けられ、この前ヒンジ２６を介して外形が矩形をした制御スクリーン２７が設けられている。同制御スクリーン２７は、帯長板を使って枠組をしたもので、前後の枠部と左右一対の枠部とを有するとともに左右の枠部間には複数本（図例では８本）の中間縦桟部をもつ本体をもつ。この制御スクリーン２７は、前記実施形態のような蓋２９は付属せず柵状体のままになっている。左右一対の枠部と中間縦桟部の複数本との間は複数の開口２７ａ…として形成されている。図６の制御スクリーン２７の下方は河床５の導入口１３前方に対応する内壁部分である。
【００２３】  シャッター１７と制御スクリーン２７との間には、それらを連動させるためのリンク３１が左右一対配備されている。制御スクリーン２７の立ち上り角度を一定に保つためリンクチェーンなどによるアンカー３２（図３参照）を備えてもよい。アンカー３２は制御スクリーン２７と河床５との間に張設してもよい。流路１０の下流側には開閉式のシャッターを備えておいて河口からの逆流を防ぐようにする。前記河川氾濫防止装置においては、図３に示すと同様に、エアーあるいはウオータージェット噴射式の加速装置３４によって水流速度を加速するようにしてもよく、この加速装置３４は、電動による軸流ファン式あるいはスクリュウ軸式などによってもよい。カルバート１１…はその一部あるいは全てを上面開閉式にして洪水後に開放してメンテナンスがしやすいように構成してもよい。
【００２４】  平時は、シャッター１７が導入口１３を閉じた状態としその前方で柵状体である制御スクリーン２７が河床５上に伏倒した状態にあるので、制御スクリーン２７に流下物Ｘ…などが掛留したり流路１０内に詰まるようなことがない。
河川が氾濫危険水位に達する前には、シャッター１７が開けられるが、それと同時に制御スクリーン２７が立ち上げられ、その際、下層を流れ来る流下物Ｘ…は制御スクリーン２７で掛留されて導入口１３に誘導しないようにし河川水のみを誘導するようにする。
【００２５】  尚、カルバート１１は、図８に河川断面図を示すように、河床５の左右両脇（一側でもよい）にあるいは河川敷６に対応して配置してもよい。このように河床５の中央付近を離れてカルバート１１を通すようにすると、河床５中央に平時の河川水を流しながら工事を進行できてやりやすく短工期で安く済むことになる。また、前記両脇（あるいは一側）にカルバート１１を配置しておくと氾濫しようとしたときに最も危険度が高くなる洪水両脇流域のレベルを下げることができて氾濫防止が効果になる。河川敷６にカルバート１１を配備する場合、そのシャッター３１の位置は上部内面あるいは天部面とする。さらに、河川堤防７の一方あるいは双方にカルバート１１を連設して流路１０を形成してもよい。河川堤防７の一方にカルバート１１を配置する場合とは左右のうち氾濫のおそれが高い側を選択する。この場合、カルバート１１の上部内側１１ａの面にシャッター３１を設けて危険水位となる河川水を取り込むようにする。
【００２６】  図９から図１２は他の実施形態を示し、流木等の流下物Ｘ…が制御スクリーン上を掛留せず越えてゆくようにし河川水Ｗを通過させやすくして流路により確実に誘導されるようにしたものである。即ち、図９は、右の上流側１から左の下流側２へと流れるようにされた河川（一部）３とその周辺の様子を示すもので、この河川氾濫防止装置が経験的に必要とされる区間の一部である。該区間は河川の湾曲した氾濫危険度の高い区間であることがある。河川３は、水量の少ない平時において河川水が流れる河床（低水敷）５とその両側の少し高くなった河川敷（高水敷）６，６とが形成されるとともに、さらに両側の離れたところには河川敷６よりもかなり高くなった堤防７，７が形成されている。ここで、河床５や河川敷６，６の表壁部分は内壁ａと呼び、河川氾濫防止装置が堤防７に設けられる実施形態の場合には堤防７の内側の壁が内壁ａとなる。
【００２７】  前記河床５の内壁ａ内部には、長手を上流側から下流側に向けた流路１０が形成されている。この流路１０は、縦横がＡ×Ｂで長さがＬとされた角型横カルバート１１…の多数個を前後に接続した状態で内壁ａ内に埋設することで形成されており、河床５の幅が大きい場合には図５の右上欄のように幅方向に複数配列することもある。配列個数は河床５の幅などにより異なる。カルバート１１…は、左右に１列あるいは複数列である場合がありその場合上下複数段に配列することもある。カルバート１１…上には泥土質の内壁ａが形成されているが、カルバート上面が河床５の上面と同一面状となるように露出した状態にされることもある。
【００２８】  流路１０の上流側の端部には、内壁ａに導入口１３を開けた導入路１４を備える。導入路１４は、流路１０の前端に接続された斜めカルバート１５内に形成されるとともに、導入路１４の上端に形成した導入口１３の矩形内周縁には内壁ａよりも低くなった段差部が形成されている。段差部の中には、ＳＵＳ、アルミ合金あるいはチタン、強化樹脂などで選択された矩形板状とされたシャッター１７がシール材（図示省略）を介して導入口１３を密閉すべく嵌め込まれ、その下流側後端に設けた後ヒンジ１８を介して３０度（あるいは４５度）前傾して立ち上がるように起倒自在に装備されている。そのシャッター１７を起倒させる駆動手段１９は水・オイル・エアーなどの流体シリンダであり、流路１０の前端にその基部を取り付けロッド先端をシャッター１７裏に取り付けてある。この駆動手段１９は、左右一対とされているが、単一本であってもよい。
【００２９】  制御スクリーン４０は、多数の縦桟４１…と裏側の連結用横桟４２とで形成して流下物Ｘ…の通過を規制しつつ河川水Ｗの通過を許容する部材として構成され、その下流側後端部は前ヒンジ４３を介してシャッター１７の上流側前端に連結してある。制御スクリーン４０前端には河床５上で移動自在とする可動ローラー４４が設けられている。同制御スクリーン４０は、シャッター１７とともに持ち上げられて前下がりになり、その傾斜角度は河床５との間において１５度と緩やかな立上り角度となっていることから図１１のように流木等の流下物Ｘ…は洪水Ｗの流れとともに下流側後方へと越えることから制御スクリーン４０の目詰まりが発生する可能性が低くなり、これにより、河川水Ｗが制御スクリーン４０を通過しやすくなって流路１０への誘導が確実に得られるようになる。縦桟４１は図１２のように帯板状以外に図１１の右下欄のようにリンクチェーン式でもよい。また、図１２の右欄のように、制御スクリーン４０は流下物Ｘ…が通過しにくくするため波板状にしてもよい。制御スクリーン４０の持ち上げるタイミングは前記実施形態で説明した通りである。シャッター１７の開放タイミングは、氾濫危険水位前が好ましいが、避難判断水位以上とすることもある。図１０の制御スクリーン４０の下方は河床５の導入口１３前方に対応する内壁部分である。
【００３０】  図１３ないし図１５は他の実施形態を示す。同実施形態は、シャッター４７を水平方向後方に開くようにするとともにその動きに連動して制御スクリーン４８が斜め後方へ立ち上がるようにしたものである。
即ち、図１３は、右の上流側１から左の下流側２へと流れるようにされた河川（一部）３とその周辺の様子を示すもので、この河川氾濫防止装置が経験的に必要とされる区間の一部である。該区間は河川の湾曲した氾濫危険度の高い区間であることがある。河川３は、水量の少ない平時において河川水が流れる河床（低水敷）５とその両側の少し高くなった河川敷（高水敷）６，６とが形成されるとともに、さらに両側の離れたところには河川敷６よりもかなり高くなった堤防７，７が形成されている。ここで、河床５や河川敷６，６の表壁部分は内壁ａと呼び、河川氾濫防止装置が堤防７に設けられる実施形態の場合には堤防７の内側の壁が内壁ａとなる。
【００３１】  前記河床５の内壁ａ内部には、長手を上流側から下流側に向けた流路１０が形成されている。この流路１０は、縦横がＡ×Ｂで長さがＬとされた角型横カルバート１１…の多数個を前後に接続した状態で内壁ａ内に埋設することで形成されており、河床５の幅が大きい場合には図５の右上欄のように幅方向に複数配列することもある。配列個数は河床５の幅などにより異なる。カルバート１１…は、左右に１列あるいは複数列である場合がありその場合上下複数段に配列することもある。カルバート１１…上には泥土質の内壁ａが形成されているが、カルバート上面が河床５の上面と同一面状となるように露出した状態にされることもある。
【００３２】  流路１０の上流側の端部には、内壁ａに導入口１３を開けた導入路１４を備える。導入路１４は、流路１０の前端に接続された斜めカルバート１５内に形成されるとともに、導入路１４の上端に形成した導入口１３の矩形内周縁には内壁ａよりも低くなった段差部が形成されている。段差部の中には、ＳＵＳ、アルミ合金あるいはチタン、強化樹脂などで選択された矩形板状とされたシャッター１７がシール材（図示省略）を介して導入口１３を密閉すべく嵌め込まれ、その下流側後端に設けた後ヒンジ１８を介して３０度（あるいは４５度）前傾して立ち上がるように起倒自在に装備されている。
【００３３】  河床５の導入口１３の後方に対応する個所にシャッター４７が進退するためのガイド４９を備えるとともに、小径スプロケット４７を進退させるための駆動手段（シリンダ）５０をカルバート１１…上の空間に沿って前後を向くようにして設けてシャッター４７を進退駆動させるようにしてある。制御スクリーン４８は後ヒンジ５１を介して前向き水平に待機させるとともに、同スクリーン４８の上面に突設した突片５３の第１ヒンジ５４とシャッター４７の前端の第２ヒンジ５５との間を前上がり状の連動リンク５６により連結装備してある。制御スクリーン４８は、縦桟４８ａ…と横桟４８ｂ…よりなっている。
【００３４】  図１４の平時の状態から例えば、避難判断水位（レベル３）にあるいは避難判断水位（レベル３）と氾濫危険水位（レベル４）間に達したとき、駆動手段５０が作動してシャッター４７が後へ水平に牽かれて導入口１３が開かれるようになる。そこで、シャッター４７が後方へ引かれれば連動リンク５６を介して制御スクリーン４８が後方へと転回され、制御スクリーン４８は後４５度程度（あるいは３０度）で停止されるようになっている。流下物Ｘ…は制御スクリーン４８の上を流れる河川水Ｗの上位レベルを流れるが、場合によっては制御スクリーン４８に対応した低いレベルを流れることがあり、その場合でも流下物Ｘ…は図１５のように制御スクリーン４８を矢印のように流れ越える一方河川水Ｗの方は制御スクリーン４８を容易に通過して導入口１３から流路１０を通って下流側に流されるようになる。
【符号の説明】
【００３５】  １…上流側  ２…下流側  ３…河川  ５…河床（低水敷）  ６…河川敷（高水敷）  ７…堤防  ａ…内壁  １０…流路  １３…導入口  １４…導入路  １７，４７…シャッター  １９，５０…駆動手段  ２７，４０，４８…制御スクリーン  Ｗ…河川水（洪水）  Ｘ…流木や草木などの流下物。
【図１】
2020045755.tif 000003
【図２】
2020045755.tif 000004
【図３】
2020045755.tif 000005
【図４】
2020045755.tif 000006
【図５】
2020045755.tif 000007
【図６】
2020045755.tif 000008
【図７】
2020045755.tif 000009
【図８】
2020045755.tif 000010
【図９】
2020045755.tif 000011
【図１０】
2020045755.tif 000012
【図１１】
2020045755.tif 000013
【図１２】
2020045755.tif 000014
【図１３】
2020045755.tif 000015
【図１４】
2020045755.tif 000016
【図１５】
2020045755.tif 000017